(57)【要約】【課題】停電時自動着床装置が動作しないことをより確実に判定することができる停電時自動着床装置用動作確認装置を得る。【解決手段】かご１３をドア開閉領域外に移動させるチェック運転指令をエレベータ制御盤１５に送信するチェック運転指令送信装置３５１と、かご１３がドア開閉領域外に移動した場合に商用電源６からエレベータ装置１に供給される電力を遮断する主電源遮断装置３４と、かご１３の出入口を撮影するカメラ３１と、カメラ３１の画像を用いて商用電源６からエレベータ装置１への供給電力が遮断中に出入口が開いたか否かを判定し、出入口が開いたと判定する場合に停電時自動着床装置２が動作すると判定し、出入口が開かなかったと判定する場合に停電時自動着床装置２が動作しないと判定する動作判定装置３２と、動作判定装置３２の判定結果を情報センタ４に通報する通報装置３５４とを備えている。【選択図】図１
2013147298.tif 000002
【特許請求の範囲】
【請求項１】
停電が発生した場合にエレベータ装置に電力を供給して前記エレベータ装置に救出運転を行わせる停電時自動着床装置が動作するか否かを判定する停電時自動着床装置用動作確認装置であって、
前記エレベータ装置のかごをドア開閉領域外に移動させるチェック運転指令を前記エレベータ装置に送信するチェック運転指令送信装置と、
前記かごが前記ドア開閉領域外に移動した場合に、外部電源から前記エレベータ装置に供給される電力を遮断する主電源遮断装置と、
前記かごの出入口を撮影するカメラと、
前記カメラが出力する画像を用いて、前記外部電源から前記エレベータ装置に供給される電力が遮断されている間に前記出入口が開いたか否かを判定し、前記出入口が開いたと判定する場合に前記停電時自動着床装置が動作すると判定し、前記出入口が開かなかったと判定する場合に前記停電時自動着床装置が動作しないと判定する動作判定装置と、
前記動作判定装置の判定結果を外部に通報する通報装置と
を備えたことを特徴とする停電時自動着床装置用動作確認装置。
【請求項２】
前記エレベータ装置に設けられ、操作されることにより前記チェック運転指令送信装置に前記チェック運転指令を送信させる操作釦をさらに備えたことを特徴とする請求項１に記載の停電時自動着床装置用動作確認装置。
【請求項３】
前記チェック運転指令送信装置は、外部から送信指令を受信することにより前記チェック運転指令を送信することを特徴とする請求項１または請求項２に記載の停電時自動着床装置用動作確認装置。
【請求項４】
停電が発生した場合にエレベータ装置に電力を供給して前記エレベータ装置に救出運転を行わせる停電時自動着床装置が動作するか否かを判定する停電時自動着床装置動作確認方法であって、
前記エレベータ装置のかごをドア開閉領域外に移動させるチェック運転指令を前記エレベータ装置に送信するチェック運転指令送信工程と、
前記かごが前記ドア開閉領域外に移動した場合に、外部電源から前記エレベータ装置に供給される電力を遮断する主電源遮断工程と、
前記かごの出入口を撮影するカメラが出力する画像を用いて、前記外部電源から前記エレベータ装置に供給される電力が遮断されている間に前記出入口が開いたか否かを判定し、前記出入口が開いたと判定する場合に前記停電時自動着床装置が動作すると判定し、前記出入口が開かなかったと判定する場合に前記停電時自動着床装置が動作しないと判定する動作判定工程と、
前記動作判定工程の判定結果を外部に通報する通報工程と
を備えたことを特徴とする停電時自動着床装置動作確認方法。
【発明の詳細な説明】
【技術分野】
【０００１】
この発明は、停電時自動着床装置が動作するか否かを判定する停電時自動着床装置用動作確認装置および停電時自動着床装置動作確認方法に関する。
【背景技術】
【０００２】
従来、停電が発生した場合にエレベータ装置に電力を供給してエレベータ装置に救出運転を行わせる停電時自動着床装置が動作するか否かを判定する停電時自動着床装置用動作確認装置が知られている。この停電時自動着床装置用動作確認装置は、停電時自動着床装置が備える蓄電池の容量が不足しているか否かを判定し、蓄電池の容量が不足していると判定する場合に停電時自動着床装置が動作しないと判定し、蓄電池の容量が不足していないと判定する場合に停電時自動着床装置が動作すると判定し、判定結果を情報センタに通報する（例えば、特許文献１参照）。
【先行技術文献】
【特許文献】
【０００３】
【特許文献１】特開平１１−４９４４６号公報
【発明の概要】
【発明が解決しようとする課題】
【０００４】
しかしながら、エレベータ装置を保守点検する際には、外部電源からエレベータ装置に供給される電力を遮断するとともに、停電時自動着床装置からエレベータ装置に供給される電力を遮断する。保守点検の終了後に、作業員が、外部電源からエレベータ装置に供給される電力を復帰させたにもかかわらず、停電時自動着床装置からエレベータ装置に供給される電力の復帰をし忘れてしまった場合には、停電時自動着床装置用動作確認装置は、蓄電池の容量が不足していない場合に、停電時自動着床装置が動作しないと判定することができないという問題点があった。
【０００５】
この発明は、停電時自動着床装置が動作しないことをより確実に判定することができる停電時自動着床装置用動作確認装置および停電時自動着床装置動作確認方法を提供するものである。
【課題を解決するための手段】
【０００６】
この発明に係る停電時自動着床装置用動作確認装置は、停電が発生した場合にエレベータ装置に電力を供給して前記エレベータ装置に救出運転を行わせる停電時自動着床装置が動作するか否かを判定する停電時自動着床装置用動作確認装置であって、前記エレベータ装置のかごをドア開閉領域外に移動させるチェック運転指令を前記エレベータ装置に送信するチェック運転指令送信装置と、前記かごが前記ドア開閉領域外に移動した場合に、外部電源から前記エレベータ装置に供給される電力を遮断する主電源遮断装置と、前記かごの出入口を撮影するカメラと、前記カメラが出力する画像を用いて、前記外部電源から前記エレベータ装置に供給される電力が遮断されている間に前記出入口が開いたか否かを判定し、前記出入口が開いたと判定する場合に前記停電時自動着床装置が動作すると判定し、前記出入口が開かなかったと判定する場合に前記停電時自動着床装置が動作しないと判定する動作判定装置と、前記動作判定装置の判定結果を外部に通報する通報装置とを備えている。
【０００７】
この発明に係る停電時自動着床装置動作確認方法は、停電が発生した場合にエレベータ装置に電力を供給して前記エレベータ装置に救出運転を行わせる停電時自動着床装置が動作するか否かを判定する停電時自動着床装置動作確認方法であって、前記エレベータ装置のかごをドア開閉領域外に移動させるチェック運転指令を前記エレベータ装置に送信するチェック運転指令送信工程と、前記かごが前記ドア開閉領域外に移動した場合に、外部電源から前記エレベータ装置に供給される電力を遮断する主電源遮断工程と、前記かごの出入口を撮影するカメラが出力する画像を用いて、前記外部電源から前記エレベータ装置に供給される電力が遮断されている間に前記出入口が開いたか否かを判定し、前記出入口が開いたと判定する場合に前記停電時自動着床装置が動作すると判定し、前記出入口が開かなかったと判定する場合に前記停電時自動着床装置が動作しないと判定する動作判定工程と、前記動作判定工程の判定結果を外部に通報する通報工程とを備えている。
【発明の効果】
【０００８】
この発明に係る停電時自動着床装置用動作確認装置によれば、エレベータ装置のかごをドア開閉領域外に移動させるチェック運転指令をチェック運転指令送信装置がエレベータ装置に送信し、かごがドア開閉領域外に移動した場合に、外部電源からエレベータ装置に供給される電力を主電源遮断装置が遮断し、動作判定装置は、かごの出入口を撮影するカメラが出力する画像を用いて、外部電源からエレベータ装置に供給される電力が遮断されている間に出入口が開いたか否かを判定し、出入口が開いたと判定する場合に停電時自動着床装置が動作すると判定し、出入口が開かなかったと判定する場合に停電時自動着床装置が動作しないと判定し、動作判定装置の判定結果を通報装置が外部に通報するので、保守点検の終了後に、外部電源からエレベータ装置に供給される電力を復帰させたにもかかわらず、停電時自動着床装置からエレベータ装置に供給される電力の復帰をし忘れてしまった場合には、停電時自動着床装置が動作しないと判定することができる。その結果、停電時自動着床装置が動作しないことをより確実に判定することができる。
【０００９】
この発明に係る停電時自動着床装置動作確認方法によれば、エレベータ装置のかごをドア開閉領域外に移動させるチェック運転指令をエレベータ装置に送信し、かごがドア開閉領域外に移動した場合に、外部電源からエレベータ装置に供給される電力を遮断し、かごの出入口を撮影するカメラが出力する画像を用いて、外部電源からエレベータ装置に供給される電力が遮断されている間に出入口が開いたか否かを判定し、出入口が開いたと判定する場合に停電時自動着床装置が動作すると判定し、出入口が開かなかったと判定する場合に停電時自動着床装置が動作しないと判定し、判定結果を外部に通報するので、保守点検の終了後に、外部電源からエレベータ装置に供給される電力を復帰させたにもかかわらず、停電時自動着床装置からエレベータ装置に供給される電力の復帰をし忘れてしまった場合には、停電時自動着床装置が動作しないと判定することができる。その結果、停電時自動着床装置が動作しないことをより確実に判定することができる。
【図面の簡単な説明】
【００１０】
【図１】この発明の実施の形態１に係るエレベータシステムを示す構成図である。
【図２】図１の通信装置を示すブロック図である。
【図３】図１の停電時自動着床装置の補助電源スイッチがＯＮ状態である場合のエレベータ装置の動作を示すフローチャートである。
【図４】図１の停電時自動着床装置の補助電源スイッチがＯＦＦ状態である場合のエレベータ装置の動作を示すフローチャートである。
【図５】図１の動作確認装置の動作を示すフローチャートである。
【発明を実施するための形態】
【００１１】
実施の形態１．
図１はこの発明の実施の形態１に係るエレベータシステムを示す構成図である。図において、エレベータシステムは、エレベータ装置１と、停電が発生した場合にエレベータ装置１に電力を供給して、エレベータ装置１に救出運転を行わせる停電時自動着床装置２と、停電時自動着床装置２が動作するか否かを判定する動作確認装置（停電時自動着床装置用動作確認装置）３と、動作確認装置３との間で有線通信回線を経由して通信を行う情報センタ（外部）４と、情報センタ４との間で無線通信回線を経由して通信を行う携帯電話（携帯端末装置）５とを備えている。
【００１２】
エレベータ装置１は、巻上機１１と、巻上機１１の綱車に巻き掛けられたロープ１２と、ロープ１２の一端部に接続されたかご１３と、ロープ１２の他端部に接続された釣合い錘１４と、巻上機１１およびかご１３を制御するエレベータ制御盤１５とを有している。巻上機１１が駆動することにより、かご１３および釣合い錘１４のそれぞれが、互いに反対方向に昇降路を昇降する。エレベータ制御盤１５には、エレベータ制御盤１５に電力を供給する商用電源（外部電源）６が接続されている。商用電源６からエレベータ制御盤１５に供給された電力は、巻上機１１およびかご１３に供給される。
【００１３】
商用電源６は、エレベータ装置１の保守点検が行われる際に作業員に操作される商用電源スイッチ（図示せず）を有している。商用電源スイッチは、商用電源６からエレベータ制御盤１５に電力が供給されるＯＮ状態と、商用電源６からエレベータ制御盤１５に供給される電力が遮断されるＯＦＦ状態とに切り替わるようになっている。エレベータ装置１の保守点検が行われる際には、作業員が商用電源スイッチをＯＦＦ状態にする。これにより、エレベータ装置１の保守点検中にエレベータ装置１の運転が防止される。エレベータ装置１の保守点検が終了した後には、作業員が商用電源スイッチをＯＮ状態にする。これにより、エレベータ装置１が通常運転を開始することができる。
【００１４】
停電時自動着床装置２は、エレベータ装置１に設けられている。停電時自動着床装置２は、停電が発生した場合にエレベータ装置１に電力を供給するための補助電源２１を有している。補助電源２１は、蓄電池から構成されている。エレベータ装置１は、商用電源６からの電力の供給が停止した場合に、停電時自動着床装置２から電力が供給されることにより救出運転を行う。救出運転とは、かご１３の位置がドア開閉領域外である場合であって、商用電源６からエレベータ装置１への電力の供給が停止することによりかご１３が急停止した場合に、かご１３内に閉じ込められた乗客を救出するためにかご１３を最寄階に移動させ、その後、かご１３の出入口が開く運転である。つまり、エレベータ装置１は、かご１３の位置がドア開閉領域外である場合であって、商用電源６からの電力の供給が停止する場合に、救出運転を行うようになっている。ドア開閉領域外とは、かご１３の出入口を開くことができないかご１３の位置の領域、つまり、中間階の領域である。商用電源６からエレベータ装置１への電力の供給の停止が発生する場合としては、停電が発生する場合や商用電源スイッチがＯＦＦ状態となる場合がある。
【００１５】
停電時自動着床装置２は、エレベータ装置１の保守点検が行われる際に作業員に操作される補助電源スイッチ（図示せず）をさらに有している。補助電源スイッチは、補助電源２１からエレベータ装置１に電力が供給されるＯＮ状態と、補助電源２１からエレベータ装置１に供給される電力が遮断されるＯＦＦ状態とに切り替わるようになっている。エレベータ装置１の保守点検が行われる際には、作業員が補助電源スイッチをＯＦＦ状態にする。これにより、商用電源スイッチがＯＦＦ状態となって商用電源６からエレベータ装置１への電力の供給が停止した場合に、停電時自動着床装置２からエレベータ装置１への電力の供給が停止される。その結果、保守点検中にエレベータ装置１の運転が防止される。エレベータ装置１の保守点検が終了した後には、作業員が補助電源スイッチをＯＮ状態にする。これにより、停電時自動着床装置２が動作可能となる。
【００１６】
動作確認装置３は、エレベータ装置１に設けられている。動作確認装置３は、バッテリ電源により動作するようになっている。つまり、動作確認装置３は、停電の発生に関係なく動作が可能である。動作確認装置３は、カメラ３１と、カメラ３１が出力する画像を取得する動作判定装置３２と、作業員に操作される操作釦３３と、商用電源６の商用電源スイッチの状態を切り替える主電源遮断装置３４と、情報センタ４との間で通信を行う通信装置３５とを有している。カメラ３１は、かご１３の出入口を撮影するように、かご１３に取り付けられている。
【００１７】
動作判定装置３２は、かご１３の出入口が閉じられている時にカメラ３１により撮影された画像を予め記憶している。動作判定装置３２は、主電源遮断装置３４が商用電源スイッチをＯＮ状態からＯＦＦ状態に切り替える時、つまり、商用電源６からエレベータ制御盤１５に供給される電力の遮断開始時から所定時間内にかご１３の出入口が開いたか否かを判定し、出入口が開いたと判定する場合に停電時自動着床装置２が動作すると判定し、出入口が開かなかったと判定する場合に停電時自動着床装置２が動作しないと判定する。動作判定装置３２は、判定結果を通信装置３５に送信する。出入口が開いたか否かを判定する際に用いられる所定時間としては、停電が発生した時から、停電時自動着床装置２が動作し、エレベータ装置１が救出運転を行うことにより、かご１３が最寄階で戸開するまでの時間よりも長い時間が設定されている。
【００１８】
操作釦３３は、エレベータ制御盤１５に取り付けられている。なお、操作釦３３は、エレベータ制御盤１５に限らず、エレベータ装置１に取り付けられていればよい。操作釦３３は、操作されることにより、操作信号を通信装置３５に送信する。
【００１９】
情報センタ４は、動作確認装置３から動作判定装置３２の判定結果を受信する通信装置４１と、通信装置４１が受信した動作判定装置３２の判定結果を解析するデータ処理装置４２と、データ処理装置４２の解析結果を携帯電話５に送信するデータ連絡装置４３とを有している。携帯電話５は、エレベータ装置１の保守点検を行う作業員に所持される。データ連絡装置４３は、複数の携帯電話５のそれぞれに対応した作業員がどのエレベータ装置１の保守作業を行っているかについての情報を記憶している。これにより、情報センタ４の解析結果を、その解析結果に対応するエレベータ装置１の保守点検を行う作業員に報知することができる。
【００２０】
図２は図１の通信装置３５を示すブロック図である。図において、通信装置３５は、操作釦３３から送信される操作信号を受信することにより、かご１３（図１）の位置がドア開閉領域外となるようにエレベータ制御盤１５にチェック運転指令を送信するチェック運転指令送信装置３５１と、主電源遮断装置３４を制御する主電源遮断装置用制御装置３５２と、主電源遮断装置用制御装置３５２から商用電源スイッチの状態の情報を受信し、主電源遮断装置３４による商用電源６からエレベータ装置１に供給される電力の遮断開始時を動作判定装置３２に対して通知するとともに、動作判定装置３２から停電時自動着床装置２が動作するか否かについての判定結果を受信する動作判定装置用制御装置３５３と、動作判定装置３２の判定結果を情報センタ４に通報する通報装置３５４とを有している。
【００２１】
エレベータ制御盤１５は、チェック運転指令送信装置３５１からチェック運転指令を受信すると、かご１３内に乗客がおらず、呼び登録がなく、エレベータ装置１が全自動待機状態である場合に、かご１３の位置がドア開閉領域外となるように、かご１３を移動させる。かご１３に乗客がいるか否かの判定は、カメラ３１の画像を用いて行われる。エレベータ装置１が全自動待機状態でない場合には、全自動待機状態になるまで、チェック運転指令によるかご１３のドア開閉領域外への移動を開始しない。
【００２２】
また、エレベータ制御盤１５は、チェック運転指令を受信することによりかご１３がドア開閉領域外となった場合に、主電源遮断装置用制御装置３５２に主電源遮断指令を送信するようになっている。主電源遮断装置用制御装置３５２は、エレベータ制御盤１５から主電源遮断指令を受信すると、商用電源６の商用電源スイッチがＯＮ状態からＯＦＦ状態に切り替わるように主電源遮断装置３４を制御する。また、主電源遮断装置用制御装置３５２は、商用電源６の商用電源スイッチがＯＮ状態からＯＦＦ状態に切り替わった時から一定時間が経過すると、商用電源６の商用電源スイッチがＯＦＦ状態からＯＮ状態に切り替わるように主電源遮断装置３４を制御する。主電源遮断装置用制御装置３５２により商用電源スイッチがＯＦＦ状態に切り替わった時から再びＯＮ状態に切り替わる時までの一定時間としては、停電時自動着床装置２が動作するか否かを動作判定装置３２が判定する場合に用いられる所定時間よりも長い時間が設定されている。つまり、動作判定装置３２がかご１３の出入口が開いたか否かを判定する間、商用電源スイッチがＯＦＦ状態のままとなる。言い換えれば、動作判定装置３２は、商用電源６からエレベータ装置１に供給される電力が遮断されている間にかご１３の出入口が開いたか否かを判定する。
【００２３】
次に、エレベータ装置１の動作について説明する。まず、停電時自動着床装置２の補助電源スイッチがＯＮ状態である場合のエレベータ装置１の動作について説明する。図３は図１の停電時自動着床装置２の補助電源スイッチがＯＮ状態である場合のエレベータ装置１の動作を示すフローチャートである。まず、エレベータ制御盤１５は、動作確認装置３からチェック運転指令を受信すると（ステップＳ１０１）、エレベータ制御盤１５は、かご１３の位置がドア開閉領域外となるようにかご１３の移動を開始する（ステップＳ１０２）。
【００２４】
その後、エレベータ制御盤１５は、かご１３がドア開閉領域外に到着したか否かを判定する（ステップＳ１０３）。ステップＳ１０３で、かご１３がドア開閉領域外にまだ到着していないとエレベータ制御盤１５が判定すると、ステップＳ１０３が繰り返される。
【００２５】
一方、ステップＳ１０３で、かご１３がドア開閉領域外に到着したとエレベータ制御盤１５が判定すると、エレベータ制御盤１５は、主電源遮断指令を通信装置３５に送信する（ステップＳ１０４）。その後、主電源遮断装置３４が商用電源スイッチをＯＦＦ状態にすることにより、商用電源６からエレベータ装置１に供給される電力が遮断される（ステップＳ１０５）。これにより、かご１３が急停止する（ステップＳ１０６）。
【００２６】
その後、停電時自動着床装置２からエレベータ装置１に電力が供給されることにより、エレベータ装置１が起動する（ステップＳ１０７）。その後、エレベータ装置１は、救出運転を開始し、かご１３を最寄階に移動させた後、かご１３を停止させ（ステップＳ１０８）、かご１３の出入口が開く（ステップＳ１０９）。
【００２７】
その後、主電源遮断装置３４が商用電源スイッチをＯＮ状態にすることにより、商用電源６からエレベータ装置１に供給される電力が復帰し（ステップＳ１１０）、エレベータ装置１が通常運転に復帰する（ステップＳ１１１）。
【００２８】
次に、停電時自動着床装置２の補助電源スイッチがＯＦＦ状態である場合のエレベータ装置１の動作について説明する。図４は図１の停電時自動着床装置２の補助電源スイッチがＯＦＦ状態である場合のエレベータ装置１の動作を示すフローチャートである。ステップＳ２０１〜ステップＳ２０６は、図３のステップＳ１０１〜ステップＳ１０６と同様である。ステップＳ２０６で、かご１３が急停止した後、エレベータ装置１は、停電時自動着床装置２から電力が供給されないので、エレベータ装置１は起動しない（ステップＳ２０７）。
【００２９】
その後、主電源遮断装置３４が商用電源スイッチをＯＮ状態にすることにより、商用電源６からエレベータ装置１に供給される電力が復帰し（ステップＳ２０８）、エレベータ装置１が通常運転に復帰する（ステップＳ２０９）。
【００３０】
次に、動作確認装置３の動作について説明する。図５は図１の動作確認装置３の動作を示すフローチャートである。まず、操作釦３３が操作されることにより、通信装置３５は、エレベータ制御盤１５にチェック運転指令を送信する（チェック運転指令送信工程）（ステップＳ３０１）。
【００３１】
その後、通信装置３５は、エレベータ制御盤１５から主電源遮断指令を受信したか否かを判定する（ステップＳ３０２）。ステップＳ３０２で、エレベータ制御盤１５から主電源遮断指令を未だ受信していないと通信装置３５が判定すると、ステップＳ３０２が繰り返される。一方、ステップＳ３０２で、エレベータ制御盤１５から主電源遮断指令を既に受信したと通信装置３５が判定すると、主電源遮断装置３４は、商用電源スイッチをＯＦＦ状態にする。これにより、商用電源６からエレベータ装置１に供給される電力が遮断される（主電源遮断工程）（ステップＳ３０３）。
【００３２】
その後、動作判定装置３２は、商用電源６からエレベータ装置１に供給される電力の遮断開始時から所定時間内にかご１３の出入口が開いたか否かを判定する（ステップＳ３０４）。ステップＳ３０４で、商用電源６からエレベータ装置１に供給される電力の遮断開始時から所定時間内にかご１３の出入口が開いたと判定する場合には、動作判定装置３２は停電時自動着床装置２が動作すると判定し（ステップＳ３０５）、商用電源６からエレベータ装置１へ供給される電力の遮断開始時から所定時間内にかご１３の出入口が開かなかったと判定する場合には、動作判定装置３２は停電時自動着床装置２が動作しないと判定する（動作判定工程）（ステップＳ３０６）。
【００３３】
その後、動作判定装置３２は、判定結果を通信装置３５に送信し（ステップＳ３０７）、その後、主電源遮断装置３４は、商用電源スイッチをＯＮ状態にする。これにより、商用電源６からエレベータ装置１に供給される電力が復帰する（ステップＳ３０８）。その後、通信装置３５は、判定結果を情報センタ４に通報し（通報工程）（ステップＳ３０９）、情報センタ４は、受信した判定結果を解析し、解析結果を携帯電話５に送信する（ステップＳ３１０）。以上により、動作確認装置３の動作が終了する。
【００３４】
以上説明したように、この発明の実施の形態１に係る動作確認装置３によれば、かご１３をドア開閉領域外に移動させるチェック運転指令をチェック運転指令送信装置３５１がエレベータ装置に送信し、かご１３がドア開閉領域外に移動した場合に、商用電源６からエレベータ装置１に供給される電力を主電源遮断装置３４が遮断し、動作判定装置３２は、かご１３の出入口を撮影するカメラ３１が出力する画像を用いて、商用電源６からエレベータ装置１に供給される電力が遮断されている間に出入口が開いたか否かを判定し、出入口が開いたと判定する場合に停電時自動着床装置２が動作すると判定し、出入口が開かなかったと判定する場合に停電時自動着床装置２が動作しないと判定し、動作判定装置３２の判定結果を通報装置３５４が情報センタ４に通報するので、保守点検の終了後に、商用電源６からエレベータ装置１に供給される電力を復帰させたにもかかわらず、停電時自動着床装置２からエレベータ装置１に供給される電力の復帰をし忘れてしまった場合には、停電時自動着床装置２が動作しないと判定することができる。その結果、停電時自動着床装置２が動作しないことをより確実に判定することができる。
【００３５】
また、動作確認装置３は、エレベータ装置１に設けられ操作されることによりチェック運転指令送信装置３５１にチェック運転指令を送信させる操作釦３３をさらに備えているので、エレベータ装置１の保守点検を行う作業員が、保守点検の作業終了後に操作釦３３を操作することにより、停電時自動着床装置２が動作するか否かを情報センタ４に報知することができる。その結果、情報センタ４から保守点検を行う作業員に対して、停電時自動着床装置２の状態を連絡することができる。
【００３６】
また、この発明の実施の形態１に係る停電時自動着床装置用動作確認方法によれば、かご１３をドア開閉領域外に移動させるチェック運転指令をエレベータ装置１に送信し、かご１３がドア開閉領域外に移動した場合に、商用電源６からエレベータ装置１に供給される電力を遮断し、かご１３の出入口を撮影するカメラ３１が出力する画像を用いて、商用電源６からエレベータ装置１に供給される電力が遮断されている間に出入口が開いたか否かを判定し、出入口が開いたと判定する場合に停電時自動着床装置２が動作すると判定し、出入口が開かなかったと判定する場合に停電時自動着床装置２が動作しないと判定し、判定結果を情報センタ４に通報するので、保守点検の終了後に、商用電源６からエレベータ装置１に供給される電力を復帰させたにもかかわらず、停電時自動着床装置２からエレベータ装置１に供給される電力の復帰をし忘れてしまった場合には、停電時自動着床装置２が動作しないと判定することができる。その結果、停電時自動着床装置２が動作しないことをより確実に判定することができる。
【００３７】
なお、上記実施の形態１では、作業員に操作される操作釦３３を備え、操作釦３３が操作されることによりチェック運転指令送信装置３５１がエレベータ制御盤１５にチェック運転指令を送信する動作確認装置３の構成について説明したが、操作釦３３を備えず、例えば、情報センタ４からチェック運転指令送信装置３５１に送信指令を送信することにより、チェック運転指令送信装置３５１がエレベータ制御盤１５にチェック運転指令を送信する動作確認装置３の構成であってもよい。この場合、作業員が携帯電話５を用いて情報センタ４に作業終了の情報を送信することにより、情報センタ４がチェック運転指令送信装置３５１にチェック運転指令を送信させる送信指令を送信する。また、保守点検の際に各種のセンサを停止させるために操作されるメンテナンススイッチに連動して、チェック運転指令送信装置３５１がエレベータ制御盤１５にチェック運転指令を送信する動作確認装置３の構成であってもよい。メンテナンススイッチに連動してチェック運転指令送信装置３５１がエレベータ制御盤１５にチェック運転指令を送信する場合には、メンテナンススイッチがＯＮ状態からＯＦＦ状態に切り換えられた時から予め設定された時間が経過した後に、チェック運転指令送信装置３５１がエレベータ制御盤１５にチェック運転指令を送信する。
【符号の説明】
【００３８】
１  エレベータ装置、２  停電時自動着床装置、３  動作確認装置（停電時自動着床装置用動作確認装置）、４  情報センタ、５  携帯電話（携帯端末装置）、６  商用電源（外部電源）、１１  巻上機、１２  ロープ、１３  かご、１４  釣合い錘、１５  エレベータ制御盤、１６  商用電源（外部電源）、２１  補助電源、３１  カメラ、３２  動作判定装置、３３  操作釦、３４  主電源遮断装置、３５  通信装置、４１  通信装置、４２  データ処理装置、４３  データ連絡装置、３５１  チェック運転指令送信装置、３５２  主電源遮断装置用制御装置、３５３  動作判定装置用制御装置、３５４  通報装置。
【図１】
2013147298.tif 000003
【図２】
2013147298.tif 000004
【図３】
2013147298.tif 000005
【図４】
2013147298.tif 000006
【図５】
2013147298.tif 000007